(57)【特許請求の範囲】
【請求項１】
所定時間あたりのテープ移送量が少なく長時間録画が可能なタイムラプスＶＴＲにおいて、
日及び時刻を計数するためのタイマ手段と、
該タイマ手段から日時データと分データを作成する日時分データ作成手段と、
前記日時データをＶＡＳＳ信号として前記コントロールトラックに１時間毎に頭出し信号であるＶＩＳＳ信号と共に記録する日時データ記録手段と、
前記分データを前記日時データとを区別するための信号と共にＶＡＳＳ信号として前記コントロールトラックに所定分間毎に頭出し信号であるＶＩＳＳ信号と共に記録する分データ記録手段と、
通常再生速度より速い速度でテープを移送しながら日時データを検索した後に分データを検索することにより所望の映像信号及び／又は音声信号を検索する検索手段と、
を備えることを特徴とするタイムラプスＶＴＲ。
【請求項２】
請求項１のタイムラプスＶＴＲにおいて、
前記日時分データ作成手段は、前記タイマ手段の時刻が００分になったことを検出する００分検出手段と、００秒になったことを検出する００秒検出手段とを備え、
前記００分検出手段によって００分が検出されたときに日時データを、前記００秒検出手段によって００秒が検出されたときに分データを作成することを特徴とするタイムラプスＶＴＲ。
【発明の詳細な説明】
【０００１】
【発明の属する技術分野】
本発明は、磁気記録再生装置のテープ位置検索に関するものであり、特にコントルール信号トラック上に記録されたデータに基づいて所定のテープ位置を検索するものである。
【０００２】
【従来の技術】
以下従来例について説明する。図６は従来方式の日時データに基づいてＶＩＳＳ／ＶＡＳＳ制御を行うＶＴＲの制御部の一部の構成を示したブロック図であり、図７はＶＨＳ規定のＶＩＳＳ／ＶＡＳＳデータの構成を示したものであり、図８は従来方式のテープに記録されたＶＩＳＳ／ＶＡＳＳデータ（日時データのみ）の模式図であり、図９は従来方式の日時データ記録のフローチャート図、図１０は従来方式の日時データ検索のフローチャート図である。
【０００３】
通常、防犯用の監視装置は、監視カメラから取り込まれた映像をＶＴＲに記録して保存をし、異常があった場合磁気テープを再生してそのときの様子と、その発生時間を特定する。このような場合犯罪発生時間を特定するために映像信号とそのときの時間を磁気テープに同時に書き込む。時間を磁気テープに書き込む方法として、ＶＨＳ規格では、ＣＴＬのデューティー比を用いた符号化手法が定義されており、一般にＶＩＳＳコード、ＶＡＳＳコードといわれるものである。
【０００４】
まずＶＴＲのＶＩＳＳ（ビデオインデックスサーチシステム）およびＶＡＳＳ（ビデオアドレスサーチシステム）を記録する制御部は図６に示すような構造となっている。図上方の５１は磁気テープで、カメラから取り込まれた映像を記録する媒体であり、ＶＩＳＳ／ＶＡＳＳを記録する媒体でもある。５２はヘッドモータであり、映像信号を記録するための磁気ヘッドを有するシリンダー（図示せず）を有しており、５３のＭＨ回転制御部でＭＨモータの回転が制御される。
【０００５】
５４はキャプスタンモータであり、５５のＭＣ回転制御部によりＭＣモータを制御して磁気テープ51の送りスピードをコントロールする。
【０００６】
５６はＣＴＬヘッドで６８のＣＴＬアンプモード制御部の指示に従って、磁気テープ51の下部にコントール信号及びコントロール信号のデューティ比を変化させてＶＩＳＳ／ＶＡＳＳ信号を作成して記録し、また記録されたコントロール信号及びＶＩＳＳ／ＶＡＳＳ信号を再生する。なお、ＭＨ回転制御部53、ＭＣ回転制御部55及びＣＴＬアンプ  モード制御部68は、図左下の６９のＫＥＹ入力制御部からの指示に従って図右下の５７のＶＴＲモード制御部によりコントロールされる。
【０００７】
図右中の５８はＶＴＲタイマ制御部であり、時計と時刻００分を検出する００分検出部59を有している。６０は記録データ作成部で、ＶＴＲタイマ制御部58の００分検出部59からの信号により日時記録データ作成部61で日時データを作成する。作成された日時データはＶＩＳＳデータ作成部62に入力され、日時データとＶＩＳＳデータはＶＡＳＳデータ作成部66に入力される。ＶＡＳＳデータ作成部66は、ヘッダ作成部63、書き込みヘッダ回数カウント部64及びデータ設定部65を有しており、ＶＩＳＳデータ作成部62から入力されたデータに基づいて、ＣＴＬヘッド56で磁気テープ51に書き込む信号を作成する。ＶＡＳＳデータ作成部66で作成されたデータに基づいて記録ＣＴＬ  ＤＵＴＹ制御部67でコントロール信号のＤＵＴＹ比を変更してＣＴＬアンプ  モード制御部68に出力する。
【０００８】
図左下の６９はＫＥＹ入力部で、ユーザの指示に従ってＶＴＲ本体又はリモコンの所定スイッチによってＶＴＲのモード（記録、再生等）設定したり、所定のデータをオンスクリーン等表示してデータを作成し、日付データ入力制御部70にデータを入力する。
【０００９】
７２の検索データ作成部は検索日時データ作成部71を有しており、日時データ入力制御部70で設定されたデータに基づいて検索データを作成する。一方ＣＴＬヘッド56で再生されたＶＩＳＳ／ＶＡＳＳ信号は、ＣＴＬアンプ  モード制御部68でアンプされ、再生ＣＴＬ  ＤＵＴＹ検出部73でＶＩＳＳ／ＶＡＳＳデータが検出され、ＶＡＳＳデータ検出部64に入力される。ＶＡＳＳデータ検出部76には、ヘッダ検出部74とデータ検出部75とを有し、再生ＣＴＬ  ＤＵＴＹ検出部73から入力された信号を解析し日時データに変換する。そして、７７のデータ比較部で検索データ作成部72からのデータとＶＡＳＳデータ検出部76からのデータを比較し、両データが一致するかどうか判断する。
【００１０】
次に、ＶＨＳ規定のＶＩＳＳ／ＶＡＳＳデータの構成について図７を用いて説明する。図７（ａ）に示すように、記録されたＣＴＬパルスのデューティー比が、 "６０：４０" の時は、論理 "０" 、 "２７．５：７２．５" の時は、論理 "１" となっている。この定義により、いわゆるＶＩＳＳおよびＶＡＳＳのデータフォーマットが規定され、図７（ｂ）に示すように、その構成は、ＶＩＳＳデータフォーマットが、第１ビットが "０" で、これに続いて６１±３ビット  が "１" 、さらにこれに続いて１ビットの "０" である。
【００１１】
ＶＡＳＳデータフォーマットは、図７（ｃ）に示すように、４つのヘッダと３つのＢＣＤデータブロックとを含む。この場合、ＢＣＤデータブロックは、長さ４ビットのデータ４桁からなる１６ビットデータであり、ＭＳＢは上位ビットを示し、ＬＳＢは下位ビットを示す。また、１つのヘッダは、１ビットの "０" と、これに続く９ビットの "１" と、さらに続く１ビットの "０" とから成る。
【００１２】
ＶＩＳＳ／ＶＡＳＳの両データフォーマットにおいて、書き込み方向において見られる第１ビットの "０" は、基準位置を形成する。ＶＩＳＳは、上記の定義に従い、位置マーキング情報（インデックス）として用いられ、ＶＡＳＳは、アドレス情報として用いられる。なお、ＭＳＢは上位ビット、ＬＳＢは下位ビットを示す。
【００１３】
次に、ＶＡＳＳデータとして日時データとして用いる場合のデータの一構成例を示す。図８に示すようにＶＡＳＳデータの一部であるＤ１（ＢＣＤ）は１６ビットで構成され、上位８ビットで日データ、下位８ビットで時刻データを示し、日データ８ビットの内上位４ビットは日データの十の位、下位４ビットは日データの１の位を示しており、上位４ビットのうち上位２ビットは常に０となる。また、時刻データの上位４ビットは、時刻の１０の位、下位４ビットは十の位を示し、３０日１２時は図に示すような構成となる。
【００１４】
まず、映像記録時の日時データの記録方法であるが、日時データの記録は１時間毎にＶＩＳＳ、ＶＡＳＳを用いて磁気テープに記録する。
【００１５】
具体的には、図９のフローチャートに示すように記録時間の分が００分であるかをチェックし、００分でなければ、ＣＴＬマーキングに対して、なにも処理しない(S50)。００分ならば、××日△△時００分になったとして、Ｄ１（上位８ビット：日のＢＣＤデータ、下位８ビット：時のＢＣＤデータ）へ記録時の日時データ（ＢＣＤ  １６ビットデータ）を格納する(S51)。なお、Ｄ１は１６ビットのＢＣＤによりなされ、上位８ビットは日のＢＣＤデータ、下位８ビットは時のＢＣＤデータで構成されている。
【００１６】
次に、ヘッダー書き込み回数＝３を変数ＨＣ（ヘッダーカウンタ）に指示し(S52)、その後ＶＩＳＳデータ書き込み処理を実施する(S53)。そして、順にヘッダを磁気テープに書き込み(S54)、ＨＣにかかれた値から１を減算し(S55)、Ｄ１データ（記録日時データ）を磁気テープに書き込み(S56)、ヘッダを磁気テープに書き込み(S57)、ＨＣの値が０であるかチェックする(S58)。ＨＣの値が０でなければステップ５５に戻り同様の動作を繰り返し、ＨＣの値が０(S58)であれは処理を終了する。このようにして(S54〜S58)ＶＡＳＳデータを磁気テープに書き込む。
【００１７】
次に再生時の日時データの検索方法であるが、図１０のフローチャートに示すように、まず任意の操作にて、検索対象 "日時" のデータＳ１（上位８ビット：日のＢＣＤデータ、下位８ビット：時のＢＣＤデータ）を設定する(S70)。そして、ＦＦモードまたはＲＥＷモードを設定し、テープを正方向または逆方向へ移送する(S71)。
【００１８】
テープ移送中に、ヘッダーが見つかればヘッダーに囲まれたデータを抽出し、そのデータを検索データであるＤ（１６ビットＢＣＤデータ）に入れ(S72)、検索対象 である日時データが設定された Ｓ１と、検索データＤを比較し(S73)、一致しなければ、検索データの更新(S72)を行い、再度Ｓ１と検索データＤの比較動作を実施する(S73)。一致すれば、静止画出力させ(S74)、検索動作を終了する。
【００１９】
以上のように、ＶＩＳＳ／ＶＡＳＳ信号を用いて記録時に日時情報をマーキングし、再生時にこれらの位置を検索するようにしている。したがってＶＩＳＳ／ＶＡＳＳ信号を用いれば日時データによる映像信号の位置の検索が可能となる。さらに、日時情報と分情報を１つのＶＡＳＳデータとしてテープに書き込めば、分データによる細かなテープ位置検索も実際には可能である。
【００２０】
しかしながら、長時間の録画が可能なタイムラプスＶＴＲのように、１本のテープで２４時間から４８時間等長時間にわたり映像信号を記録するようなシステムでは、経過時間当たりのテープ移動量が少なく、単位時間当たりに書き込めるＣＴＬ数（データビット情報）が少なくなる為、長時間記録として比較的重要性が少ない分データはＶＡＳＳデータに書き込まず、日時データのみをＶＡＳＳデータとして記録し、検索に活用していた。
【００２１】
ところが、近年タイムラプスＶＴＲでも分情報を用いたより検索性の高いシステムが望まれ、分データにより検索が可能な他のシステム（ＶＩＳＳ／ＶＡＳＳを使用しないシステム）が実施されている。例えば、ＬＴＣ（オーディオ用リニアトラックを犠牲にして、その部分にタイムデータを記録する）や、ＶＩＴＣ（ＶＢＩ方式（ビデオブランキング期間にデータを挿入）を用いてタイムデータを記録する）を用いて、分データも記録し、それを検索する等の細かな検索を可能とするシステムがある。
【００２２】
【発明が解決しようとする課題】
上述の分データにより細かな検索が可能なシステムは、専用のＩＣを必要とする為、高価で、かつ、制御が複雑なものとなってしまう。
【００２３】
また、これらの欠点を補うべく、分情報をＶＡＳＳを用いて付加する方法が考えられるが、ＶＩＳＳ／ＶＡＳＳフォーマットを乱すことなく、単に分データを日時データに付加する方式をとれば、従来方式を用いて、日時のみのデータしか書き込まれていないテープを検索することができなくなるばかりか、特に上述のタイムラプスのＶＴＲのように単位時間当たりに書き込めるビット情報に限りがあるシステムにおいては、非常に不利なものとなってしまう。
【００２４】
本発明は、これらの課題を鑑み、非常に安価で、かつ、従来方式（日時データのみ対応）との互換性を保ちながら比較的容易な方法で、分情報を付加するとともにその付加した分情報に基づいて検索を行うことができるシステムを提案するものである。
【００２５】
【課題を解決するための手段】
請求項１記載の発明は、所定時間あたりのテープ移送量が少なく長時間録画が可能なタイムラプスＶＴＲにおいて、日及び時刻を計数するためのタイマ手段と、該タイマ手段から日時データと分データを作成する日時分データ作成手段と、前記日時データをＶＡＳＳ信号として前記コントロールトラックに１時間毎に頭出し信号であるＶＩＳＳ信号と共に記録する日時データ記録手段と、前記分データを前記日時データとを区別するための信号と共にＶＡＳＳ信号として前記コントロールトラックに所定分間毎に頭出し信号であるＶＩＳＳ信号と共に記録する分データ記録手段と、通常再生速度より速い速度でテープを移送しながら日時データを検索した後に分データを検索することにより所望の映像信号及び／又は音声信号を検索する検索手段とを備えることを特徴とするタイムラプスＶＴＲであり、録画時間中に１時間毎にそのときの日時を、１分間毎にそのときの分を磁気テープに記録するため、１時間単位び１分単位で映像信号が記録された時刻の検索が可能となる。
【００２６】
請求項２記載の発明は、請求項１の磁気記録再生装置において、前記日時分データ作成手段は、前記タイマ手段の時刻が００分になったことを検出する００分検出手段と、００秒になったことを検出する００秒検出手段とを備え、前記００分検出手段によって００分が検出されたときに日時データを、前記００秒検出手段によって００秒が検出されたときに分データを作成することを特徴とするタイムラプスＶＴＲであり、１時間毎及び１分間毎に磁気テープに記録するための日時分データが作成される。
【００２９】
【発明の実施の形態】
以下分情報データを用いて細かな検索を可能とする本発明の一実施例について説明する。図１は日時分に基づいてＶＩＳＳ／ＶＡＳＳ制御を行う本実施例ＶＴＲの制御部の一部の構成を示したブロック図であり、図２に本実施例の分データのＶＡＳＳデータ、図３に本実施例の日時分データ記録のフローチャート図、図４に従来の日時データに本実施例の分データを付加したＶＡＳＳデータ、図５に本実施例の日時分データ検索のフローチャート図を示す。
【００３０】
図１は従来例で説明した日時に基づいてＶＡＳＳデータを記録及び検索するＶＴＲの制御部に分データを記録及び再生して検索できる構成を追加したものであり、従来例と同一の部分は同一の符号を付けて説明を省略する。図１に示すように従来例（図５）に示すＶＴＲタイマ制御部58に００秒検出部1を設け、現時刻が００秒となったことを検出する回路と、記録データ作成部60に分記録データ作成部2を設け、００秒検出部1による指示に基づいて分記録データを作成する。また、記録データ日時／分選択部3を設け、日時データ若しくは分データのどちらかをＶＡＳＳデータとして記録するか選択するようにする。
【００３１】
さらに、分データにより検索を可能とするため、日時データ及び分データを入力するための日時・分データ入力制御部4と検索データ作成部72に検索分データ作成部5を設け、さらに日時データ若しくは分データのどちらかを用いて検索できるようにするため検索データ日時／分選択部6を設けている。
【００３２】
具体的に分情報をＶＡＳＳデータとして構成する方法であるが、図２に示すように、分データは日時データと同様１６ビットで構成されており、最上位ビットは分データを示す判別フラグであり、下位８ビットで２桁の分データを表すようにする。
【００３３】
次に図３のフローチャート図を用いて、日時分データ記録方式について説明する。
【００３４】
先ず従来方式同様、記録時間の分が００であるかをチェックし(S1)、００分ならば××日△△時００分になったとして、Ｄ１へ記録時の日時データを格納する(S2)。また、ヘッダー書き込み回数＝４をＨＣ（ヘッダーカウンタ）にて指示する(S3)。その後、ＶＩＳＳデータ書き込み処理を実施した後(S4)、ＶＡＳＳデータ書き込み処理（Ｄ１の書き込み）を実施する(S5〜S9）。ここまでは従来例と同様の日時データの書き込み方法である。
【００３５】
次に、分データの書き込みは、ステップ１で記録時間の分が００でなければステップ１０で記録時間の秒が００であるかをチェックする。００秒ならば、××日△△時□□分になったとして、Ｄ２へ記録時の分データを格納する(S11)。ここで、分データはＢＣＤデータとして８ビットしか必要でない為、１６ビットＢＣＤデータ構成のＤ２の下位８ビットへ格納することとし、上位８ビットデータの最上位をこのデータブロックが分データブロックであることを示す為の判別符号ビットとして、８０（ＨＥＸ）をセットするようにする(S11)。
【００３６】
また、ヘッダー書き込み回数＝３をＨＣ（ヘッダーカウンタ）にて、指示する(S3)。その後、ＶＩＳＳデータ書き込み処理を実施(S3)した後、ＶＡＳＳデータ書き込み処理（Ｄ２の書き込み）を実施する(S5〜S9)。
【００３７】
このような手法で、テープ上に記録された、ＶＩＳＳ／ＶＡＳＳデータは、図４のようになる。なお、ステップ１０で記録時間の分が００でなければＣＴＬマーキングに対して、なにも処理しない。
【００３８】
次に、日時分データ検索方法について、図５のフローチャートを用いて説明する。
【００３９】
任意の操作（例えばリモコンの操作によってＯＳＤ上にデータをセットする）にて、検索対象 "日時" のデータＳ１（上位８ビット：日のＢＣＤデータ、下位８ビット：時のＢＣＤデータ）、および、検索対象 "分" のデータＳ２を設定する(S21及びS22)。
【００４０】
ここで、データＳ２は、記録時のデータフォーマットに則り、単に検索対象となる分のＢＣＤデータとして設定されるわけでなく、上位８ビットには、最上位ビットの分データブロック判別符号をセットしたデータ、即ち８０（ＨＥＸ）を、下位８ビットには、検索対象となる分のＢＣＤデータを設定した１６ビット構成のデータへ加工した後設定されるものとする。
【００４１】
そして、ＦＦモードまたはＲＥＷモードを設定し、テープを正方向または逆方向へ移送する(S23)。テープ移送中に、ヘッダーに囲まれたデータを抽出し、検索データＤ（１６ビットＢＣＤデータ）を得る(S24)。検索対象 "日時" Ｓ１と、検索データＤを比較し(S25)、一致しなければ、検索データの更新(S24)を行い、再度検索対象 "日時" Ｓ１と検索データＤの比較動作(S25)を実施する。
【００４２】
検索対象 "日時" Ｓ１と、検索データＤが一致すれば(S25)、日時検索動作を終了して次のステップに進む。もし、検索対象分の設定(S22)でＳ２に００分が設置されていれば(S26)、検索動作を完了して制し再生動作を実行する(S31)。００分が設定されている場合、日時検索場所がすなわち００分の検索位置であるからである。検索対象分の設定(S22)でＳ２に００分が設置されていなければで日時検索動作を完了し(S26)、ＳＴＯＰモードを設定する(S27)。ここで、一端停止状態にするのは、ＲＥＷモードで日時データを検索している場合に検索方向をＦＦ方向にするためであり、もし、ＲＥＷ方向でそのまま分データを検索すれば実際に検索する１時間前の映像部分か検索されるからである。従って、はじめからＦＦモードで検索する場合には、ＳＴＯＰモードをあえて設定する必要はない。なお、ここで設定される日時データＳ１は、１６ビットＢＣＤデータの最上位ビットが、必ず "０" となるので、記録時のデータフォーマットから、分データブロックを誤って検出することは無い。
【００４３】
次に、ＦＦモードを設定してテープの正方向に移送し(S28)、検索対象 "分" のテープ記録部位の検索動作に入る。ヘッダーに囲まれたデータを日時データ検索と同様に検索し、検索データＤを得る(S29)。設定された検索対象 "分" Ｓ２（分データブロック情報含む）と検索データＤを比較し(S30)、一致しなければ検索データの更新(S29)を行い、再度、検索対象 "分" データＳ２と、検索データＤの比較動作(S30)を実施する。一致すれば、静止画出力させ(S3)、検索動作を終了する
以上のように、分データを構成して記録し、分データブロック判別ビットを用いて、従来例で示した日時データの位置を検出した後、新ためて分データのよる位置を検出するよう検出動作を２段構成とすることにより、例えば、本実施例の手法により記録されたテープを従来機種（日時データのみの対応機種）で、日時のみの検索を実行した場合でも、分データブロックの最上位ビットが、"１"であるため、分データが検索日時データとして誤って検出されることは無い。
【００４４】
また、従来機種で、日時データのみが記録されているテープを、本実施例の手法により検索する場合でも、日時データ部を検索した後、分データブロックが所定時間内に検出されない時若しくは次の日時データ部が検出された場合には、前の日時データ部の所まで巻き戻して検索動作を終了させる等して、従来手法（機種）との互換性を保ちながら、分データの検索が可能となる。
【００４５】
その他の処理として、日時データが検出されない場合、たとえば、８時２分から記録を始めた場合、テープに記録されている日時データは９時以降のもとなるため、８時５分で検索を行ったとき日時検索では８時が検出できないことになる。このような検索において、映像信号等が磁気テープの先頭から記録されている場合には、検索方向はＲＥＷ方向となり、日時データの８時が検索されずテープの先頭で一端ＳＴＯＰ状態となる。そして次にＦＦモードにして分データである５分を検索するような処理を行ってもよい。またテープの途中から記録しはじめた場合で、ＦＦ方向からの検索のときには、一端９時の日時データが検出された時点でＦＦモードからＲＥＷモードに変更し、次に５分の分データを検索するような処理にしたり、またＲＥＷ方向の検索のときには日時データの９時が検出された時点で所定時間内に８時の日時データが検出されないとき若しくは８時以外の日時データが検出されたときにはＦＦモードに変更して分データの検索するような処理を行ってもよい。
【００４６】
また、日時データと分データを記録するＶＩＳＳ／ＶＡＳＳを同一単位のブロック長として扱う為、１ブロック単位に必要なビット数は、６３（ＶＩＳＳ）＋１１（ヘッダー）×４＋１６（データ）×３＝１５５ビットとなり、これを、例えばＮＴＳＣの標準テープスピード（ＳＰモード）におけるＣＴＬ打ち込み時間に換算すると、１５５ビット÷３０ＣＴＬ＝５．１６秒となる為、１分置きにこれらデータブロックを十分に打ち込み可能となっている。また、タイムラプスＶＴＲのようにテープ移送時間がＳＰモードに比べてＮ倍と遅いモードを考慮した場合でも、理論上、ＳＰ 〜 ＳＰ×１０倍 までは、分単位のＶＩＳＳ／ＶＡＳＳ記録が可能である。
【００４７】
さらに長時間記録するモードを使用時には、ＶＩＳＳ／ＶＡＳＳ記録可能な分間隔は、ある程度必要になるが、例えば、再生時のＶＩＳＳ／ＶＡＳＳ検索時の処理(S30)で、検索対象設定分Ｓ２に一致しない場合は、最も近い位置で検索終了させる等の工夫を実施すれば良い。
【００４８】
本実施例では、日時データに付加する情報として、分データを一実施例としたが、１６ビットＢＣＤで構成される日時データでは、最上位から２ビットが必ず"００" となる為、これら２ビットをデータブロック種別の判別データとすれば、日時データ以外に、３ブロックの付加が可能となり、例えば、データブロック種別の判別データ＝ "００" を 日時データ、"０１"を 分データ、"１０"を記録テープスピード、"１１" を予備のように、ＶＩＳＳ／ＶＡＳＳを用いて記録・検索を行う場合のデータの拡張性を有していることは、言うまでもない。
【００４９】
【発明の効果】
本発明によると、分情報等を用いた細かなデータ検索が可能となり、またそのための特別な回路（ＬＴＣ、ＶＩＴＣなど）が不要で、かつ、ＶＡＳＳデータの記録・検出回路（ソフト）が、従来同様の手法で構成可能なため、従来機種と相関を保ちながら非常に安価で、かつ容易に分情報等を付加した検索システムの構築が可能となる。
【図面の簡単な説明】
【図１】本発明の一実施例である日時分データに基づいてＶＩＳＳ／ＶＡＳＳ制御を行うＶＴＲの制御部の一部の構成を示したブロック図である。
【図２】本発明の一実施例である分データのＶＡＳＳデータある。
【図３】本発明の一実施例である日時分データ記録のフローチャート図である。
【図４】本発明の一実施例である従来の日時データに分データを付加したＶＡＳＳデータである。
【図５】本発明の一実施例である日時分データ検索のフローチャート図を示す。
【図６】従来例の日時データに基づいてＶＩＳＳ／ＶＡＳＳ制御を行うＶＴＲの制御部の一部の構成を示したブロック図である。
【図７】ＶＨＳ規定のＶＩＳＳ／ＶＡＳＳデータの構成を示したものである。
【図８】従来例のＶＡＳＳデータに分情報を付加したるＶＡＳＳデータの模式図である。
【図９】従来例の日時データ検索のフローチャート図ある。
【図１０】従来例の日時データ検索のフローチャート図である。
【符号の説明】
１  ：００秒検出
２  ：分記録データ作成部
３  ：記録データ日時／分選択部
４  ：日時・分データ入力制御部
５  ：検索  分データ作成部
６  ：検索データ日時／分選択部
５１  ：磁気テープ
５６  ：ＣＴＬヘッド
５８  ：ＶＴＲタイマ制御部
５９  ：００分検出
６０  ：記録データ作成部
６１  ：日時記録データ作成部
６７  ：記録ＣＴＬＤＵＴＹ制御部
６８  ：ＣＴＬアンプモード制御部
７３  ：再生ＣＴＬＤＵＴＹ検出部
７６  ：ＶＡＳＳデータ検出部
【図１】
0003545234.tif 000002
【図２】
0003545234.tif 000003
【図３】
0003545234.tif 000004
【図４】
0003545234.tif 000005
【図５】
0003545234.tif 000006
【図６】
0003545234.tif 000007
【図７】
0003545234.tif 000008
【図８】
0003545234.tif 000009
【図９】
0003545234.tif 000010
【図１０】
0003545234.tif 000011